【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
入退室管理システムの変更管理による影響を分析する情報処理装置が、
所定領域の入退室管理システムを構成する機器のレイアウト情報を記憶部より読み取る処理と、
前記レイアウト情報を出力部に表示し、入退室管理システムのレイアウト中での構成の変更場所および変更内容を含む変更シナリオを入力部より受け付ける処理と、
前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記変更シナリオが機器または機能の削除を示す場合、前記レイアウト中の前記変更場所の機器の削除を行い、変更構成案として出力部に表示する処理と、
前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理と、
を実行する変更管理分析方法。
【請求項２】
前記情報処理装置が、
前記変更シナリオに基づく機器の追加ないし置換または削除、或いは前記シミュレーションにより判明した所定の運用条件下での機器の停止ないし交換、のおよぶ影響箇所、影響範囲、およびその影響内容の少なくともいずれかの情報を、前記変更構成案の表示中に強調表示する、
ことを特徴とする請求項１に記載の変更管理分析方法。
【請求項３】
前記情報処理装置が、
前記変更シナリオが機器または機能の追加ないし変更を示す場合、前記製品情報テーブルに前記変更内容を照合し、変更内容の要求を満たす機能を備えた候補機器を複数特定し、候補機器毎に前記レイアウト中の前記変更場所への候補機器の追加または前記変更場所における既存機器と候補機器との置換の表示を行って、前記変更シナリオを満たす変更構成案を複数生成し出力部に表示する処理と、
前記シミュレーションを各変更構成案について実行し、変更構成案毎のシミュレーション結果を該当変更構成案の表示中に出力する処理と、
操作者が最適と判断した変更構成案の指定を入力部で受け付けて、該当変更構成案を最適案として出力部に表示する処理とを実行する、
ことを特徴とする請求項１または２に記載の変更管理分析方法。
【請求項４】
前記情報処理装置が、
各変更構成案が示す追加ないし変更または削除の対象となっている機器について、前記製品情報テーブルより追加ないし変更または削除に際しての必要費用のデータを読み出し、この必要費用を変更構成案毎に合算して見積り価格を算定し、該当変更構成案の表示中に出力する処理を実行する、
ことを特徴とする請求項３に記載の変更管理分析方法。
【請求項５】
前記情報処理装置が、
前記レイアウト情報が含む場所情報のリストを選択可能に表示し、この場所リスト中より前記変更場所の選択を受け付け、記憶部に予め保持している変更内容のリストを選択可能に表示し、この変更内容リスト中より前記変更内容の選択を受け付けることで、前記変更シナリオを受け付ける処理と、
前記レイアウト情報が含む場所情報のリストを選択可能に表示し、この場所リスト中より前記運用条件のうち場所の選択を受け付け、記憶部に予め保持している運用内容のリストを選択可能に表示し、この運用内容リスト中より前記運用条件のうち運用内容の選択を受け付けることで、前記運用条件の指定を受け付ける処理と、
を実行することを特徴とする請求項１〜４のいずれかに記載の変更管理分析方法。
【請求項６】
前記情報処理装置が、
前記変更場所の選択を受け付ける前記場所情報のリストと、前記変更内容の選択を受け付ける変更内容のリストとを格納している変更シナリオテーブルを記憶部に保持しており、
入力部ないしネットワークで通信可能に結ばれた他装置より、前記変更シナリオテーブルにおける前記場所情報のリストへの場所情報追加、ないし前記変更内容のリストへの変更内容追加を受け付けて、前記変更シナリオテーブルを更新する処理を実行する、
ことを特徴とする請求項５に記載の変更管理分析方法。
【請求項７】
前記情報処理装置が、
入力部ないしネットワークで通信可能に結ばれた他装置より、前記製品情報テーブルへの機器ないし機能の情報追加を受け付けて、前記製品情報テーブルを更新する処理を実行する、
ことを特徴とする請求項５または６に記載の変更管理分析方法。
【請求項８】
前記情報処理装置が、
前記運用条件のうち場所の選択を受け付ける前記場所情報のリストと、前記運用内容のリストとを格納している運用シナリオテーブルを記憶部に保持しており、
入力部ないしネットワークで通信可能に結ばれた他装置より、前記運用シナリオテーブルにおける前記場所情報のリストへの場所情報追加、ないし前記運用内容のリストへの運用内容追加を受け付けて、前記運用シナリオテーブルを更新する処理を実行する、
ことを特徴とする請求項５〜７のいずれかに記載の変更管理分析方法。
【請求項９】
入退室管理システムの変更管理による影響を分析する情報処理装置であって、
所定領域の入退室管理システムを構成する機器のレイアウト情報を記憶部より読み取る構成情報入力部と、
前記レイアウト情報を出力部に表示し、入退室管理システムのレイアウト中での構成の変更場所および変更内容を含む変更シナリオを入力部より受け付ける変更シナリオ入力部と、
前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記変更シナリオが機器または機能の削除を示す場合、前記レイアウト中の前記変更場所の機器の削除を行い、変更構成案として出力部に表示する影響箇所分析部と、
前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する運用シミュレーション部と、
を備える変更管理分析装置。
【請求項１０】
入退室管理システムの変更管理による影響を分析する情報処理装置に、
所定領域の入退室管理システムを構成する機器のレイアウト情報を記憶部より読み取る処理と、
前記レイアウト情報を出力部に表示し、入退室管理システムのレイアウト中での構成の変更場所および変更内容を含む変更シナリオを入力部より受け付ける処理と、
前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記変更シナリオが機器または機能の削除を示す場合、前記レイアウト中の前記変更場所の機器の削除を行い、変更構成案として出力部に表示する処理と、
前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理と、
を実行させる変更管理分析プログラム。
【手続補正２】
【補正対象書類名】明細書
【補正対象項目名】００１０
【補正方法】変更
【補正の内容】
【００１０】
上記課題を解決する本発明の変更管理分析方法は、入退室管理システムの変更管理による影響を分析する情報処理装置が、所定領域の入退室管理システムを構成する機器のレイアウト情報を記憶部より読み取る処理と、前記レイアウト情報を出力部に表示し、入退室管理システムのレイアウト中での構成の変更場所および変更内容を含む変更シナリオを入力部より受け付ける処理と、前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記変更シナリオが機器または機能の削除を示す場合、前記レイアウト中の前記変更場所の機器の削除を行い、変更構成案として出力部に表示する処理と、前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理と、を実行するものである。
【手続補正３】
【補正対象書類名】明細書
【補正対象項目名】００１１
【補正方法】変更
【補正の内容】
【００１１】
また、本発明の変更管理分析装置は、入退室管理システムの変更管理による影響を分析する情報処理装置であって、所定領域の入退室管理システムを構成する機器のレイアウト情報を記憶部より読み取る構成情報入力部と、前記レイアウト情報を出力部に表示し、入退室管理システムのレイアウト中での構成の変更場所および変更内容を含む変更シナリオを入力部より受け付ける変更シナリオ入力部と、前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記変更シナリオが機器または機能の削除を示す場合、前記レイアウト中の前記変更場所の機器の削除を行い、変更構成案として出力部に表示する影響箇所分析部と、前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する運用シミュレーション部と、を備える。
【手続補正４】
【補正対象書類名】明細書
【補正対象項目名】００１２
【補正方法】変更
【補正の内容】
【００１２】
また、本発明の変更管理分析プログラムは、入退室管理システムの変更管理による影響を分析する情報処理装置に、所定領域の入退室管理システムを構成する機器のレイアウト情報を記憶部より読み取る処理と、前記レイアウト情報を出力部に表示し、入退室管理システムのレイアウト中での構成の変更場所および変更内容を含む変更シナリオを入力部より受け付ける処理と、前記変更シナリオが機器または機能の追加ないし変更を示す場合、入退室管理システムを構成可能な機器の機能情報を格納した製品情報テーブルに前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記変更シナリオが機器または機能の削除を示す場合、前記レイアウト中の前記変更場所の機器の削除を行い、変更構成案として出力部に表示する処理と、前記変更構成案について、運用条件の指定を入力部で受け付け、前記運用条件を前記製品情報テーブルにおける機器の機能情報に適用して前記運用条件下で機器が稼働した際の挙動をシミュレーションし、シミュレーション結果を変更構成案の表示中に出力する処理と、を実行させるプログラムである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００２９
【補正方法】変更
【補正の内容】
【００２９】
また、前記変更管理分析装置１は、前記変更シナリオが機器または機能の追加ないし変更を示す場合、入退室管理システム１０を構成可能な機器の機能情報を格納した製品情報テーブル２３に前記変更内容を照合し、変更内容の要求を満たす機能を備えた候補機器を特定し、前記レイアウト中の前記変更場所への候補機器の追加、または前記変更場所における既存機器と候補機器との置換の表示を行い、前記変更シナリオが機器または機能の削除を示す場合、前記レイアウト中の前記変更場所の機器の削除を行い、変更構成案として出力部２０５に表示する影響箇所分析部４を備える。
【手続補正９】
【補正対象書類名】明細書
【補正対象項目名】００５２
【補正方法】変更
【補正の内容】
【００５２】
続いて、前記影響箇所分析部４は、前記変更シナリオが機器または機能の追加ないし変更を示す場合、前記製品情報テーブル２３に前記変更内容を照合し、変更内容の要求を満たす機能を備えた適用可能製品＝候補機器を特定する（ステップ５０４）。さらに影響箇所分析部４は、前記レイアウト中の前記変更場所への候補機器の追加、または前記変更場所における既存機器と候補機器との置換の表示を行って、変更構成案を生成し出力部２０５上に表示する（ステップ５０５）。なお、前記変更シナリオが機器または機能の削除を示す場合、前記影響箇所分析部４は、前記レイアウト中の前記変更場所の機器の削除を行い、変更構成案として出力部２０５に表示する。
【手続補正１０】
【補正対象書類名】図面
【補正対象項目名】図３
【補正方法】変更
【補正の内容】
【図３】
2011227774.tif 000001